(57)【要約】 【課題】水平板部分を局部的又は全体的に上方に大きく隆起又は膨出させることなく、横架材を横断して複数スパンに亘って延在するＬ型幅木を提供する。 【解決手段】Ｌ型幅木(10)は第１〜第３傾斜板部分(11,12,13)及び着座部分(14)を有する。第１傾斜板部分(11)は、上端部(11a)を支柱(2)に当接又は近接させるとともに、支柱の中心軸線(VC)に対して傾斜(θ1)する。着座部分(14)は、第１傾斜板部分の下縁部分に位置し、横架材(3)の頂部に着座する。第２傾斜板部分(12)は、斜め上方に傾斜(θ2)して着座部分から仮設床材(4)の側に延びる。第３傾斜板部分(13)は、斜め下方に傾斜(θ3)して第２傾斜板部分の縁部から仮設床材の側に延び、仮設床材の縁部又は縁部上方域で終端する。【選択図】図４
2020133339.tif 000002
【特許請求の範囲】
【請求項１】
支柱、横架材及び仮設床材を組立てた構成を有する仮設足場に設けられ、前記仮設床材の側縁に沿って形成される隙間帯域を閉塞するとともに、前記横架材に跨がって連続するように長尺化し、複数スパンに亘って延在するＬ型幅木において、
上端部を前記支柱に当接又は近接するとともに、該支柱の中心軸線に対して傾斜した第１傾斜板部分と、
第１傾斜板部分の下縁部分に一体化し、前記横架材の頂部に着座する着座部分と、
該着座部分に一体的に連接するとともに、前記横架材の中心軸線に対して斜め上方に傾斜して仮設床材の側に延びる第２傾斜板部分と、
第２傾斜板部分の上縁に一体的に連接し、水平面に対して斜め下方に傾斜して該上縁から前記仮設床材の側に延出し、該仮設床材の縁部又は縁部上方域で終端する第３傾斜板部分とを有することを特徴とするＬ型幅木。
【請求項２】
第１及び第２傾斜板部分の各構面の相対角度は、８０〜１００度の範囲内の角度に設定され、第２及び第３傾斜板部分の各構面の相対角度は、２０〜６０度の範囲内の角度に設定されることを特徴とする請求項１に記載のＬ型幅木。
【請求項３】
第１傾斜板部分の構面と前記支柱の中心軸線との相対角度は、５〜３０度の範囲内の角度に設定され、第２傾斜板部分の構面と前記横架材の中心軸線との相対角度は、５〜３０度の範囲内の角度に設定されることを特徴とする請求項２に記載のＬ型幅木。
【請求項４】
第１、第２及び第３傾斜板部分及び前記着座部分は、一体成形されたアルミ押出形材からなり、前記着座部分は、前記横架材の頂部に着座する水平な着座面を有することを特徴とする請求項１乃至３のいずれか１項に記載のＬ型幅木。
【請求項５】
第１、第２及び第３傾斜板部分及び前記着座部分は、金属板を曲げ成形してなる一体成形部材からなり、前記着座部分は、前記横架材の頂部に着座可能な曲げ変形部の湾曲面を有することを特徴とする請求項１乃至３のいずれか１項に記載のＬ型幅木。
【請求項６】
第３傾斜板部分の先端部と前記仮設床材の上面との間には、高さ寸法２０mm以下の間隙が形成されることを特徴とする請求項１乃至５のいずれか１項に記載のＬ型幅木。
【発明の詳細な説明】
【技術分野】
【０００１】
本発明は、仮設足場のＬ型幅木に関するものであり、より詳細には、仮設足場の横架材に跨がって連続するように長尺化し、複数の支柱スパンに亘って延在する仮設足場のＬ型幅木に関するものである。
【背景技術】
【０００２】
建築物、土木構造物、プラント設備等の建設工事に使用される仮設足場として、枠組足場、単管足場、楔結合式足場等の各種形式の仮設足場が日本国内において広く普及している(非特許文献１）。一般に、この種の仮設足場は、所定間隔を隔てて建枠又は支柱等を建込み、床付き布枠等の仮設床材を建枠横架材や腕木等（以下、単に「横架材」という。）に係止又は係留して仮設床材を横架材の間に架設又は懸架することにより作業空間又は作業通路を形成するとともに、墜落転落災害や、飛来落下物に起因する災害等を防止すべく、手摺、幅木等を楔結合式支柱、単管パイプ支柱、建枠脚柱等（以下、単に「支柱」という。）の間に架設又は懸架した構成を有する(非特許文献２）。
【０００３】
仮設足場の幅木として、支柱に係止又は係留可能な鉛直板からなる単板型の幅木と、鉛直板及び水平板をＬ型に連結してなるＬ型幅木とが知られている。単板型幅木は、例えば、特許文献１及び２に記載される如く、凹凸又は波形の断面形状を有するが、全体的には鉛直な単一の板体であり、専用金具や番線等によって支柱に係止又は係留される。他方、Ｌ型幅木は、特許文献３及び４に記載される如く、鉛直板及び水平板を直角に連接したＬ型断面の幅木であり、単板型幅木と同様、凹凸又は波形の断面形状を有するものも多いが、全体的には鉛直及び水平な板体を直角に連接した構造を有し、支柱又は仮設床材等に支持又は支承される。Ｌ型幅木の水平板部分は、一般に、仮設床材の側縁に沿って形成される布方向又は桁方向の隙間を閉塞する。
【０００４】
Ｌ型幅木は、その使用において、仮設床材の側縁に沿って延在し、水平板部分によって仮設床材の片側の隙間を閉塞する。水平板部分は、横架材に係止した仮設床材のつかみ金具や、楔結合部の楔部材等と物理的又は位置的に干渉し得るので、水平板部分は、特許文献５に記載される如く、横架材の直前で終端し、或いは、特許文献６及び７に記載される如く、つかみ金具や楔部材等との物理的干渉を回避すべく局部的又は全体的に上方に隆起又は膨出した断面形状を有する。
【先行技術文献】
【特許文献】
【０００５】
【特許文献１】登録意匠第１５６０６０２号公報
【特許文献２】登録意匠第１３８４２５８号公報
【特許文献３】登録意匠第１３８４２４６号公報
【特許文献４】登録意匠第１３９７７２５号公報
【特許文献５】特開２００７−２４７２６１号公報
【特許文献６】登録実用新案第３２１５８１８号公報
【特許文献７】特許第５８７９４５４号公報
【非特許文献】
【０００６】
【非特許文献１】建築工事標準仕様書・同解説、ＪＡＳＳ２、仮設工事（社団法人日本建築学会発行）
【非特許文献２】仮設工事認定基準とその解説、第８版（一般社団法人仮設工業会発行）
【発明の概要】
【発明が解決しようとする課題】
【０００７】
しかしながら、水平板部分を横架材の直前で終端せしめる設計（特許文献５）は、複数の支柱スパンに跨がって延在するＬ型幅木には適用し難い。また、水平板部分を局部的又は局所的に上方に隆起又は膨出せしめる断面形状（特許文献７）は、現場毎に生じ得るつかみ金具の位置的相違又は形状的相違等に対して所望の如く適応し難い。また、横架材及び支柱の連結部近傍には、上下の支柱を直列に連結するための連結ピン等を含む支柱連結具や、クランプ部材等の緊締具又は緊結具等が配置されることが比較的多く、このような場合、水平板部分を局所的又は局所的に隆起させたとしても、支柱連結具等と鉛直板部分との物理的又は位置的干渉を回避することは困難である。
【０００８】
他方、水平板部分を全体的に大きく上方に隆起又は膨出せしめたＬ型幅木の構造（特許文献６）によれば、支柱連結具等を隆起部又は膨出部に収容又は内包し得ると考えられるので、Ｌ型幅木と支柱連結具との物理的又は位置的干渉を所望の如く回避し得るかもしれない。しかし、このように全体的に大きく隆起又な膨出したＬ型幅木の断面形状は、水平板部分とつかみ金具、楔部材又は支柱連結具等との物理的又は位置的な干渉が生じない設計の仮設足場においては、実質的に不用又は無用な構成であり、この種の干渉が生じない設計の仮設足場では、このような大形の隆起部又は膨出部を設けず又は解消することが望ましい。
【０００９】
本発明は、このような課題に鑑みてなされたものであり、その目的とするところは、仮設足場の横架材に跨がって連続するように長尺化されるとともに、水平板部分を局部的又は全体的に上方に大きく隆起又は膨出せしめた断面形状を採用することなく、横架材を横断して複数スパンに亘って延在し得るＬ型幅木を提供することにある。
【課題を解決するための手段】
【００１０】
上記目的を達成すべく、本発明は、支柱(2)、横架材(3)及び仮設床材(4)を組立てた構成を有する仮設足場(1)に設けられ、前記仮設床材の側縁に沿って形成される隙間帯域(β)を閉塞するとともに、前記横架材に跨がって連続するように長尺化し、複数スパンに亘って延在するＬ型幅木(10)において、
上端部(11a)を前記支柱に当接又は近接するとともに、該支柱の中心軸線(VC)に対して傾斜(θ1)した第１傾斜板部分(11)と、
第１傾斜板部分の下縁部分に一体化し、前記横架材の頂部に着座する着座部分(14)と、
該着座部分に一体的に連接するとともに、前記横架材の中心軸線(HC)に対して斜め上方に傾斜(θ2)して仮設床材の側に延びる第２傾斜板部分(12)と、
第２傾斜板部分の上縁に一体的に連接し、水平面に対して斜め下方に傾斜(θ3)して該上縁から前記仮設床材の側に延出し、該仮設床材の縁部又は縁部上方域で終端する第３傾斜板部分(13)とを有することを特徴とするＬ型幅木を提供する。
【００１１】
本発明の上記構成によれば、Ｌ型幅木は、第１〜第３傾斜板部分を一体的に接合した構造を有し、仮設床材の作業床のための幅木を第１傾斜板部分によって支柱列の構面又はその近傍に形成し、着座部分によって横架材の頂部に着座し、第１及び第２傾斜板部分によって隙間帯域を閉塞し、第２傾斜板部分を第３傾斜板部分によって仮設床材の上面と実質的に連続せしめる。第２傾斜板部分は、従来のＬ型幅木の水平板部分に相応する部分であるが、上方に隆起又は膨張する断面を有しない。第１傾斜板部分と支柱との間には、支柱及び横架材の連結領域(α)に配置される支柱の連結ピン(2d)や、楔結合式足場の楔部材(2b)等を収容可能又は内包可能な空間（γ）が形成される。また、第２及び第３傾斜板部分の下側には、仮設床材のつかみ金具又はフック(4a)等の上部又は頂部を収容可能又は内包可能な空間(η)が形成される。従って、本発明のＬ型幅木によれば、第１及び第２傾斜板部分は、全体的に上方に隆起又は膨出した断面形状を採用することなく、横架材の上方域を横断して横架材の両側のスパンに延在し得る。なお、第３傾斜板部分の先端部(13a)は、仮設床材の上面から上方に若干離間し、第３傾斜板部分の上面と仮設床材との間に僅かな段差又は段部が形成されるが、第３傾斜板部分が仮設床材の上面に向かって下方に傾斜しているので、このような段差又は段部は、足場上の作業、歩行等に対する実質的な障害とはならない。
【発明の効果】
【００１２】
本発明の上記構成によれば、仮設足場の横架材に跨がって連続するように長尺化されるとともに、水平板部分を局部的又は全体的に上方に大きく隆起又は膨出せしめた断面形状を採用することなく、横架材を横断して複数スパンに亘って延在するＬ型幅木を提供することができる。
【図面の簡単な説明】
【００１３】
【図１】図１は、本発明の好適な実施例に係るＬ型幅木を備えた仮設足場を部分的に示す斜視図である。
【図２】図２は、図1に示す仮設足場を部分的に示す縦断面図である。
【図３】図３は、支柱、横架材、仮設床材及びＬ型幅木の位置関係を示す仮設足場の部分拡大縦断面図であり、図３（Ａ）には、支柱間領域における仮設足場の部分拡大断面図が示されており、図３（Ｂ）には、楔結合領域における仮設足場の部分拡大断面図が示されている。
【図４】図４は、図１〜図３に示すＬ型幅木の縦断面図である。
【図５】図５（Ａ）、図５（Ｂ）及び図５（Ｃ）は、Ｌ型幅木の正面図、Ｉ−Ｉ’線部拡大図及びII−II線断面図である。
【図６】図６（Ａ）及び図６（Ｂ）は、Ｌ型幅木の背面図及び平面図である。
【図７】図７は、Ｌ型幅木の端部を拡大して示す斜視図である。
【図８】図８は、Ｌ型幅木の他の設置形態を示す仮設足場１の部分拡大縦断面図であり、図８（Ａ）には、支柱間領域における仮設足場の部分拡大断面図が示されており、図８（Ｂ）には、楔結合領域における仮設足場の部分拡大断面図が示されている。
【図９】図９は、Ｌ型幅木の製造過程において製造される押出成形直後の押出形材を示す断面図である。
【図１０】図１０は、本発明の他の好適な実施例に係るＬ型幅木の構造を示す縦断面図である。
【図１１】図１１は、図１０に示すＬ型幅木の端部を拡大して示す斜視図である。
【図１２】図１２は、支柱、横架材、仮設床材及びＬ型幅木の位置関係を示す仮設足場の部分拡大縦断面図であり、図１２（Ａ）には、支柱間領域における仮設足場の部分拡大断面図が示されており、図１２（Ｂ）には、楔結合領域における仮設足場の部分拡大断面図が示されている。
【図１３】図１３は、図１２に示すＬ型幅木の他の設置形態を示す仮設足場の部分拡大縦断面図であり、図１３（Ａ）には、支柱間領域における仮設足場１の部分拡大断面図が示されており、図１３（Ｂ）には、楔結合領域における仮設足場の部分拡大断面図が示されている。
【発明を実施するための形態】
【００１４】
本発明の好適な実施形態によれば、第１及び第２傾斜板部分の各構面の相対角度(θ４）は、８０〜１００度の範囲内の角度、好ましくは、８５〜９５度の範囲内の角度（例えば、９０度）に設定され、第２及び第３傾斜板部分の各構面の相対角度(θ３）は、２０〜６０度の範囲内の角度、好ましくは、３０〜５０度の範囲内の角度（例えば、４０度）に設定される。なお、各傾斜板部分の構面は、各傾斜板部分の中心平面と実質的に一致する。
【００１５】
このような構成によれば、第１傾斜板部分を鉛直に配置し、第２傾斜板部分を実質的に水平に配置し、第３傾斜板部分の上面を仮設床材の上面と実質的に連続するようにした状態でＬ型幅木を設置し得る（図８及び図１３）。このようなＬ型幅木の設置形態は、横架材及び支柱の連結部近傍に支柱連結具等が配置されていない形態の仮設足場において好適に採用し得るが、このような設置形態においては、Ｌ型幅木は、楔結合式足場の楔部材や、仮設床材のつかみ金具又はフック等の上部又は頂部を収容可能又は内包可能な空間(η)を第２傾斜板部分及び第３傾斜板部分の下側に形成する。従って、本発明のＬ型幅木は、傾斜板部分を組合せてなるＬ型幅木として仮設足場に設置し得るだけではなく、鉛直板部分及び水平板部分より構成される汎用的なＬ型幅木としても仮設足場に設置することができる。
【００１６】
好ましくは、第１傾斜板部分の構面と支柱の中心軸線との相対角度（θ１）は、５〜３０度の範囲内の角度（例えば、１５度）に設定され、第２傾斜板部分の構面と横架材の中心軸線との相対角度（θ２）は、５〜３０度の範囲内の角度（例えば、１５度）に設定される。更に好ましくは、第３傾斜板部分の先端部と仮設床材の上面との間に形成される間隙の高さ（ｈ１）は、２０mm以下の寸法に設定される。
【００１７】
本発明の或る実施形態において、第１、第２及び第３傾斜板部分及び着座部分は、一体成形されたアルミ押出形材からなり、着座部分は、横架材の頂部に着座する水平な着座面(16)を有する。本発明の他の実施形態において、第１、第２及び第３傾斜板部分及び着座部分は、金属板を曲げ成形してなる一体成形部材からなり、着座部分は、横架材の頂部に着座可能な曲げ変形部の湾曲面を有する。
【実施例１】
【００１８】
以下、添付図面を参照して、本発明の好適な実施例について詳細に説明する。 
【００１９】
図１及び図２は、本発明の好適な実施例に係るＬ型幅木を備えた仮設足場を部分的に示す斜視図及び縦断面図である。
【００２０】
図１及び図２には、楔結合式の仮設足場１が示されている。仮設足場１は、所定間隔を隔てて配置された鋼管製の楔結合式鉛直支柱２（以下、「支柱２」という。）と、支柱２に楔結合した鋼管製の楔結合式横架材３（以下、「横架材３」という。）と、横架材３によって支持又は支承された鋼製踏板、鋼製布板又は床付き布枠等の仮設床材４と、桁側構面に配置された先行手摺５と、仮設床材４の側縁帯域に配設されたＬ型幅木１０とを有する。本例において、支柱２は、桁方向又は布方向に支柱間隔Ｓ（約１．８ｍ）を隔てて配置されるとともに、梁間方向（腕木方向）に約１５００mmの支柱間隔Ｗを隔てて配置される。支柱２には、楔結合用の緊結部２ａが所定間隔を隔てて配設される。横架材３及び先行手摺５は、支柱２の緊結部２ａに楔結合される。
【００２１】
Ｌ型幅木１０は、約４ｍの全長を有するアルミニウム又はアルミニウム合金の押出形材（以下、「アルミ押出形材」という。）からなる。Ｌ型幅木１０は、横架材３を跨いで二つのスパンに亘って延在する。隣接するＬ型幅木１０の端部同士は、支柱２及び横架材３が楔結合する楔結合領域αにおいて互いに重なり合う。Ｌ型幅木１０の端部及び中央部は、従来の幅木取付け金具、或いは、金属製の結束線材（番線）等の係留手段（図示せず）によって支柱２に係留される。
【００２２】
図３は、支柱２、横架材３、仮設床材４及びＬ型幅木１０の位置関係を示す仮設足場１の部分拡大縦断面図である。図３（Ａ）には、支柱間隔Ｓ（以下、「スパンＳ」という。）の中間領域（以下、「支柱間領域」という。）における仮設足場１の部分拡大断面図が示されており、図３（Ｂ）には、楔結合領域αにおける仮設足場１の部分拡大断面図が示されている。
【００２３】
図３に示す如く、横架材３の楔連結部３ａが支柱２の緊結部２ａに楔結合される。楔連結部３ａは、楔結合用の楔孔又は楔開口（図示せず）を備える。本例において、緊結部２ａは、支柱２に一体化した鋼製フランジからなり、緊結部２ａには、楔結合用の楔孔又は楔開口（図示せず）が穿設される。楔部材２ｂが楔連結部３ａ及び緊結部２ａの楔孔又は楔開口に嵌挿される。楔部材２ｂを殴打して楔孔又は楔開口に圧入することにより、緊結部２ａ及び楔結合部３ａを楔結合して一体化し、これにより、横架材３の端部を支柱２に一体的に連結することができる。
【００２４】
図３には、連結ピン２ｄを含む支柱連結具２ｃが破線で示されている。支柱連結具２ｃは、上下の支柱２を直列に連結する支柱連結機構を構成する。楔結合式足場の場合、支柱連結具２ｃは、通常は、概ね手摺レベルに位置することから、支柱連結具２ｃがＬ型幅木１０と干渉する位置に配置される事例は、比較的少ないが、枠組足場等においては、支柱連結具２ｃは、一般に、図３に破線で示すように支柱及び横架材の連結領域に配置される。本例においては、本発明の理解を容易にすべく、図３に破線で示すように支柱連結具２ｃを楔結合領域αに配置した事例について主に説明する。
【００２５】
図３（Ａ）に示す如く、仮設床材４のつかみ金具４ａが横架材３に係止又は係留された状態では、桁方向又は布方向に延びる隙間帯域βが仮設床材４と支柱２との間に形成される。Ｌ型幅木１０は、第１乃至第３傾斜板部分１１、１２、１３及び着座部分１４から構成される。第１傾斜板部分１１と支柱２との間には、桁方向又は布方向に延びる概ね直角三角形断面の空間γが形成される。連結ピン２ｄは、この空間γに配置されるので、第１傾斜板部分１１と連結ピン２ｄとの位置的又は物理的干渉を回避することができる。着座部分１４は、横架材３の頂部に着座し、Ｌ型幅木１０の荷重は、主として、横架材３によって支持又は支承される。第２傾斜板部分１２は着座部分１４から斜め上方に延びる。第１及び第２傾斜板部分１１、１２は、桁方向又は布方向に延び、隙間帯域βを閉塞する。第３傾斜板部分１３は、第２傾斜板部分１２の上縁部分に位置する屈曲部１５から斜め下方に延び、仮設床材４の上側において桁方向又は布方向に延在する。
【００２６】
Ｌ型幅木１０は、スパンＳの支柱間領域では、仮設床材４の外側の隙間帯域βを単体で閉塞するが、図３（Ｂ）に示す如く、隣接するＬ型幅木１０が重なり合った幅木端部では、重なり合う二体のＬ型幅木１０の端部によって隙間帯域βを閉塞する。
【００２７】
図４は、Ｌ型幅木１０の縦断面図である。図４において、支柱２及び横架材３は破線で示されている。図５（Ａ）、図５（Ｂ）、図５（Ｃ）、図６（Ａ）及び図６（Ｂ）は、Ｌ型幅木１０の正面図、Ｉ−Ｉ’線部拡大図、II−II線断面図、背面図及び平面図である。図７は、Ｌ型幅木１０の端部を拡大して示す斜視図である。
【００２８】
図４に示す如く、第１傾斜板部分１１の構面ＶＰは、支柱２の中心軸線ＶＣ（従って、鉛直方向又は鉛直面）に対して角度θ１の傾斜角をなして傾斜する。第１傾斜板部分１１は、その下縁部分に位置する連接部１７を介して着座部分１４の一端部に連続する。着座部分１４の他端部は、第２傾斜板部分１２の下縁部分に位置する連接部１８を介して第２傾斜板部分１２に連続する。第２傾斜板部分１２の構面ＨＰは、横架材３の中心軸線ＨＣ（従って、水平方向又は水平面）に対して角度θ２の傾斜角をなして仮設床材４の側に延びる。第２傾斜板部分１２は、その上縁部分に位置する屈曲部１５を介して第３傾斜板部分１３の上縁部分に連続する。第３傾斜板部分１３の構面ＥＰは、第２傾斜板部分１２の構面ＨＰに対して角度θ３の傾斜角をなして斜め下方に延びる。図３に示す如く、第３傾斜板部分１２は、つかみ金具４ａの位置を超えて仮設床材４の縁部上方域に延びる。
【００２９】
図３に示す如く、第２傾斜板部分１３は、平面視において仮設床材４の縁部帯域と少なくとも部分的に重なる。第３傾斜板部分１３の先端部１３ａは、仮設床材４の上面から僅かに間隔を隔てた位置に配置される。先端部１３ａと仮設床材４の上面との間隔ｈ１は、好ましくは、２０mm以下、更に好ましくは、１５mm以下に設定される。
【００３０】
好ましくは、角度θ１、θ２（図４）は５〜３０度の範囲内の角度に設定され、角度θ３は２０〜６０度の範囲内の角度に設定される。本例において、角度θ１、θ２は、約１５度に設定され、角度θ３は約４０度に設定される。第１傾斜板部分１１の構面ＶＰと第２傾斜板部分１２の構面ＨＰとがなす角度θ４（図４）は、好ましくは、８０〜１００度の範囲内、更に好ましくは、８５〜９０度の範囲内の角度に設定される。本例において、角度θ４は約９０度に設定される。
【００３１】
図４に示すように、第１傾斜板部分１１の上縁部分１１ａは支柱２に当接する。上縁部分１１ａは、厚さ４〜１０mm、例えば、厚さ約６mmの厚さＴを有するＣ形又はチャンネル形の中空断面により補強される。同様のＣ形又はチャンネル形中空断面による補強構造部１１ｂが、第１及び第２傾斜板部分１１、１２の接合部分に配設される。図５〜図７に示す如く、番線固定用の番線挿通孔１１ｃがＬ型幅木１０の端部及び中央部において上縁部分１１ａ及び補強構造部１１ｂに穿設される。また、第１傾斜板部１１の両端部には、荷役・運搬機具の荷吊り部を係止可能な荷吊り用の開口部１１ｄが穿設される。
【００３２】
第１傾斜板部分１１は、補剛用の湾曲部１１ｆによって補強される。また、第１及び第２傾斜板部分１１、１２には、長手方向に延びる複数の補強リブ１１ｅ、１２ｅが形成される。更に、第３傾斜板部分１３は、リブ状断面を有する屈曲部１５及び先端部１３ａにより補強される。
【００３３】
前述のとおり、Ｌ型幅木１０は、着座部分１４の着座面１５を横架材３の頂部に着座せしめることにより、横架材３によって支持又は支承される（図３及び図４）。従来の幅木取付け金具によってＬ型幅木を支柱２に係止し、所望により、金属製の結束線材（番線）等を番線挿通孔１１ｃに挿通してＬ型幅木１０を支柱２に結束し、これにより、Ｌ型幅木１０を仮設足場１にしっかりと固定することができる。
【００３４】
図４の部分拡大図に示すとおり、着座面１６は、横架材３の中心軸線ＨＣと平行な幅Ｄ１（Ｄ１＝約５〜１５mm（本例では約８mm））の平坦面であり、横架材３の頂部レベルの水平面内に位置する。着座面１５は、角度θ５（θ５＝θ１＋９０度）をなして第１傾斜板部分１１に連接し、角度θ２をなして第２傾斜板部分１２に連接する。
【００３５】
図３に示すとおり、第１傾斜板部分１１と支柱２との間に形成される空間γは、連結ピン２ｄや、楔部材２ｄの頭部（打撃部）を内包又は収容し、第２傾斜板部分１２の下側の空間ηは、つかみ金具４ａの上部又は頂部を内包又は収容するので、Ｌ型幅木１０は、連結ピン２ｄ、楔部材２ｄ及びつかみ金具４ａと位置的又は物理的に干渉することなく、隙間帯域βを閉塞することができる。
【００３６】
図８は、Ｌ型幅木１０の他の設置形態を示す仮設足場１の部分拡大縦断面図である。図８（Ａ）には、スパンＳの支柱間領域における仮設足場１の部分拡大断面図が示されており、図８（Ｂ）には、楔結合領域αにおける仮設足場１の部分拡大断面図が示されている。
【００３７】
Ｌ型幅木１０は、図３に示す設置形態のみならず、第１傾斜板部分１１を鉛直に配向し且つ第２傾斜板部分１２を水平に配向した状態で仮設足場１に配置する設置形態においても、図８に示す如く、好適に使用し得る。例えば、図８に示す仮設足場１は、支柱連結具２ｃ及び連結ピン２ｄを楔結合領域αに備えておらず、従って、Ｌ型幅木１０は、空間γを実質的に形成しない状態で支柱２と仮設床材４との間に設置し得る。このような設置形態では、第１傾斜板部分１１の構面ＶＰは支柱２と平行に配置され（従って、鉛直に配向され）、第２傾斜板部分１２の構面ＨＰは横架材３と平行に配置される（従って、水平に配向される）。第２傾斜板部分１２の下側の空間ηは、楔部材２ｂを収容するとともに、つかみ金具４ａの頂部又は上部を概ね内包又は収容し、或いは、第３傾斜板部分１３によってつかみ金具４ａを覆い、足場上の作業空間からつかみ金具４ａを隠蔽する。かくして、Ｌ型幅木１０は、傾斜板部分１１、１２を垂直・水平にした設置形態（即ち、従来のＬ型幅木のように傾斜板部分１１を鉛直板部分として使用し、傾斜板部分１２を水平板部分として使用した設置形態）においても、楔部材２ｄ及びつかみ金具４ａによって設置を妨げられることなく、仮隙間帯域βを閉塞することができる。
【００３８】
図９は、Ｌ型幅木１０の製造過程において製造される押出成形直後の押出形材を示す断面図である。
【００３９】
前述のとおり、本例のＬ型幅木１０は、アルミ押出形材の一体成形品である。本例において、Ｌ型幅木１０は、図９に示す如く、二つのＬ型幅木をボックス形態に組合せた断面形状の押出形材Ｍとして押出加工装置のダイス（金型）より押し出される。押出形材Ｍは、二体のＬ型幅木１０を接合部Ｊによって一体的に接合したボックス状又は筒状の中間製品である。押出形材Ｍは切断線Ｋに沿って切断され、接合部Ｊの残部は除去され、これにより、Ｌ型幅木１０が製作される。
【実施例２】
【００４０】
図１０は、本発明の他の好適な実施例に係るＬ型幅木１０’の構成を示す縦断面図であり、図１１は、Ｌ型幅木１０’の端部を拡大して示す斜視図である。また、図１２は、支柱２、横架材３、仮設床材４及びＬ型幅木１０’の位置関係を示す仮設足場１の部分拡大縦断面図であり、図１３は、Ｌ型幅木１０’の他の設置形態を示す仮設足場１の部分拡大縦断面図である。図１２（Ａ）及び図１３（Ａ）には、スパンＳの支柱間領域における仮設足場１の部分拡大断面図が示されており、図１２（Ｂ）及び図１３（Ｂ）には、楔結合領域αにおける仮設足場１の部分拡大断面図が示されている。なお、各図において、図１〜図９（実施例１）に示す各構成要素又は構成部材と実質的に同一又は同等の構成要素又は構成部材については、同一の参照符号が付されている。
【００４１】
上記のとおり、実施例１のＬ型幅木１０は、アルミ押出成形品として一体成形されたものであるが、本例のＬ型幅木１０’は、アルミニウム又はアルミニウム合金等の金属製の板体（以下、「金属板」という。）を曲げ加工してなる曲げ成形品である。このため、Ｌ型幅木１０’は、前述の補強リブを備えておらず、着座部１４は、板体の曲げ変形により形成される１〜２mm程度の微少な曲率半径の湾曲面からなり、平坦な着座面を備えておらず、この他の曲げ部分又は補強・補剛部分も又、同様の曲率半径で曲げ成形した曲げ変形部からなる。
【００４２】
実施例１のＬ型幅木１０と同様、Ｌ型幅木１０’は、図１０〜図１２に示す如く、第１乃至第３傾斜板部分１１、１２、１３及び着座部分１４を有し、使用において、着座部分１４を横架材３の頂部に着座するとともに、第１傾斜板部分１１と支柱２との間に概ね直角三角形断面の空間γを形成し、これにより、第１傾斜板部分１１と連結ピン２ｄとの位置的又は物理的干渉を回避するように構成される。第２傾斜板部分１２は着座部分１４から斜め上方に延び、傾斜板部分１１、１２は隙間帯域βを閉塞する。第３傾斜板部分１３は、第２傾斜板部分１２の上縁部分に位置する屈曲部１５から斜め下方に延び、仮設床材４の上側において桁方向又は布方向に延在する。
【００４３】
また、Ｌ型幅木１０’は、前述の実施例と同様、第１傾斜板部分１１を鉛直に配向し且つ第２傾斜板部分１２を水平に配向した状態で仮設足場１に配置した設置形態においても、図１３に示す如く、好適に使用し得る。
【００４４】
Ｌ型幅木１０’の他の構成又は構造も又、実施例１のＬ型幅木１０の構成と実質的に同一又は同等に設計されるので、実施例１の説明を引用することにより、重複した説明を省略する。
【００４５】
以上、本発明の好適な実施形態及び実施例について詳細に説明したが、本発明は上記実施形態及び実施例に限定されるものではなく、特許請求の範囲に記載された本発明の範囲内で種々の変形又は変更が可能である。
【００４６】
例えば、上記実施例は、本発明に係るＬ型幅木を楔結合式足場において使用した構成のものであるが、前述のとおり、本発明に係るＬ型幅木は、枠組足場、単管足場等の他の形式の足場においても同様に使用し得るものである。
【００４７】
また、上記実施例の楔結合式足場は、フランジ形緊結部及び楔部材を備えた構成のものであるが、支柱のポット形又は凹形緊結部と、横架材の凸形緊結部とから構成される楔結合構造を備えた楔結合式足場において、本発明のＬ型幅木を使用しても良い。
【００４８】
更に、Ｌ型幅木の各部構造については、本発明に適合する限りにおいて、従来の任意の形態、寸法又は設計を適宜採用することができ、また、押出形材の補剛リブの断面性状及び寸法等や、曲げ成形材の屈曲部の断面性状及び寸法等については、本発明に適合する限りにおいて、任意の設計を採用することができる。
【００４９】
加えて、上記実施例では、Ｌ型幅木は、アルミ押出形材又はアルミ曲げ成形品であるが、他の金属の成形品であっても良く、また、押出成形や曲げ成形以外の成形方法によりＬ型幅木を製作しても良い。
【産業上の利用可能性】
【００５０】
本発明は、柱、横架材及び仮設床材を組立てた構成を有する仮設足場に設けられ、仮設床材の側縁に沿って形成される隙間帯域を閉塞するとともに、横架材に跨がって連続するように長尺化し、複数スパンに亘って延在するＬ型幅木に適用される。本発明によれば、水平板部分を局部的又は全体的に上方に大きく隆起又は膨出せしめた断面形状を採用することなく、横架材を横断して複数スパンに亘って延在するＬ型幅木を提供し得る。また、本発明のＬ型幅木は、傾斜板部分を組合せてなるＬ型幅木として仮設足場に設置し得るだけではなく、鉛直板部分及び水平板部分より構成される汎用的なＬ型幅木としても仮設足場に設置することができるので、その実用的価値は、顕著である。
【符号の説明】
【００５１】
１  楔結合式仮設足場
２  楔結合式鉛直支柱
２ａ  緊結部
２ｂ  楔部材
２ｃ  支柱連結具
２ｄ  連結ピン
３  楔結合式横架材
３ａ  楔連結部
４  仮設床材
４ａ  つかみ金具
５  先行手摺
１０、１０’  Ｌ型幅木
１１、１２、１３  第１〜第３傾斜板部分
１１ａ  上縁部分
１１ｂ  補強構造部
１１ｃ  番線挿通孔
１１ｄ  荷吊り用開口部
１１ｅ、１２ｅ  補強リブ
１１ｆ  湾曲部
１３ａ  先端部
１４  着座部分
１５  屈曲部
１６  着座面
１７、１８  連接部
α  楔結合領域
β  隙間帯域
γ、η  空間
θ１〜θ５  角度
Ｓ  支柱間隔（スパン）
Ｗ  支柱間隔
ｈ１  間隔（高さ方向）
ＶＰ、ＨＰ、ＥＰ  構面
ＶＣ、ＨＣ  中心軸線
【図１】
2020133339.tif 000003
【図２】
2020133339.tif 000004
【図３】
2020133339.tif 000005
【図４】
2020133339.tif 000006
【図５】
2020133339.tif 000007
【図６】
2020133339.tif 000008
【図７】
2020133339.tif 000009
【図８】
2020133339.tif 000010
【図９】
2020133339.tif 000011
【図１０】
2020133339.tif 000012
【図１１】
2020133339.tif 000013
【図１２】
2020133339.tif 000014
【図１３】
2020133339.tif 000015